(57)【要約】【課題】電子機器において、ユーザに、映像データ、特に差分映像データの取得状況を知らせることが課題になっていた。【解決手段】この実施形態の電子機器は、主映像データおよび、前記主映像データと高画質データとの差分情報を受信する受信部を有する。  また、前記主映像データと前記差分情報とを用いて、前記主映像データより高画質な高画質映像データを生成する生成部を有する。  また、前記差分情報の取得情報を出力する取得情報出力部と、を有する。【選択図】図３
2014120809.tif 000002
【特許請求の範囲】
【請求項１】
主映像データおよび、前記主映像データと高画質データとの差分情報を受信する受信部と、
前記主映像データと前記差分情報とを用いて、前記主映像データより高画質な高画質映像データを生成する生成部と、
前記差分情報の取得情報を出力する取得情報出力部と、
を有する電子機器。
【請求項２】
前記取得情報を生成する処理部を有する請求項１記載の電子機器。
【請求項３】
前記取得情報は、前記差分情報の取得率を示す請求項１記載の電子機器。
【請求項４】
前記取得情報は、前記差分情報の取得率をグラフ表示する請求項１記載の電子機器。
【請求項５】
前記取得情報は、前記差分情報の取得状況に応じて、前記高画質映像データを出力できるかを識別表示する請求項１記載の電子機器。
【請求項６】
前記取得情報は、前記差分情報の取得状況に応じて、前記高画質映像データを一部、又は全部を復元できるかを識別表示する請求項１記載の電子機器。
【請求項７】
前記識別表示は、色により識別表示する請求項５または６記載の電子機器。
【請求項８】
前記取得情報は、前記差分情報の取得率を表示する場合に、分散表示する請求項３記載の電子機器。
【請求項９】
さらに番組表の出力部を備え、前記番組表の番組欄に、当該番組が前記高画質映像データを出力可能であること示す表示を出力する請求項１記載の電子機器。
【請求項１０】
主映像データおよび、前記主映像データと高画質データとの差分情報を受信するステップと、
前記主映像データと前記差分情報とを用いて、前記主映像データより高画質な高画質映像データを生成するステップと、
前記差分情報の取得情報を出力するステップと、を備える電子機器の制御方法。
【請求項１１】
主映像データおよび、前記主映像データと高画質データとの差分情報を受信するステップと、
前記受信した主映像データと前記差分情報とを用いて、前記主映像データより高画質な高画質映像データを生成するステップと、
前記差分情報の取得情報を出力するステップと、を備え、電子機器を制御可能な電子機器の制御プログラム。
【発明の詳細な説明】
【技術分野】
【０００１】
この発明は、電子機器、電子機器の制御方法、電子機器の制御プログラムに関する。
【背景技術】
【０００２】
現在、例えば、水平方向が１９２０画素で垂直方向が１０８０画素の、所謂２Ｋ１Ｋと称される映像データの表示に対応した電子機器（映像表示装置）が普及している。
【０００３】
これに対して、近年では水平方向が３８４０画素、垂直方向が２１６０画素の４Ｋ２Ｋと称される映像データや、水平方向が７６８０画素、垂直方向が４３２０画素の８Ｋ４Ｋと称される映像データのような、超高精細な映像データも実現されている。
【０００４】
そして、超高精細な映像データを表示可能なＵＨＤＴＶ（Ultra High Definition TV）の開発も行なわれている。
【０００５】
一方では、上記した情報量の多い超高精細な映像データを、限られた伝送路帯域で放送配信するにあたって、その伝送をいかに行うかが重要な課題となっている。
【０００６】
情報量の多い高画質映像データを伝送するにあたって、伝送路の容量に制限がある場合は、以下のような技術がある。
【０００７】
ここでは、高画質映像データからこれよりも画素数を少なくした主映像データを作成する。そして高画質映像データと主映像データの差分となる差分映像データを得る。次に、主映像データと差分映像データを伝送する。受信側では、主映像データに差分映像データを合成して元の高画質映像データを得る。
【先行技術文献】
【特許文献】
【０００８】
【特許文献１】特開２０１０−１１１５４号公報
【発明の概要】
【発明が解決しようとする課題】
【０００９】
上記したように、送信装置から受信装置へ高画質映像データを伝送する方法として、種々の方法が提案されている。
【００１０】
なお、ここでは、高画質映像データ（ＨＤ映像データ）のＨＤは、従来のアナログテレビジョン信号に相当する標準画質（スタンダードディフィニション（ＳＤ））よりも、解像度の高い画質を意味するものとする。また、映像データは画像データと称されてもよい。
【００１１】
ところで、高画質映像データが、主映像データ、および、差分映像データと、別々に伝送される場合、両者が確実に取得されることが望ましい。
【００１２】
しかしながら、映像データとして、主映像データと差分映像データが別々に送信される場合は、両者が必ずしも確実に取得されない可能性がある。このような場合は、映像が必ずしも高画質とはならないことがある。
【００１３】
このため、ユーザに、映像データ、特に差分映像データの取得状況を知らせることが課題になっていた。
【課題を解決するための手段】
【００１４】
この実施形態の電子機器は、主映像データおよび、前記主映像データと高画質データとの差分情報を受信する受信部を有する。
【００１５】
また、前記主映像データと前記差分情報とを用いて、前記主映像データより高画質な高画質映像データを生成する生成部を有する。
【００１６】
また、前記差分情報の取得情報を出力する取得情報出力部と、を有する。
【図面の簡単な説明】
【００１７】
【図１】実施形態が適用された送受信システムの概要の一例を示す図である。
【図２】この実施形態にて使用された送信装置の一例を示す図である。
【図３】この実施形態にて使用された受信装置の一例を示す図である。
【図４】図３の大容量記憶装置の記録媒体におけるデータ構造の例を示す説明図である。
【図５】この実施形態における受信装置の動作例を説明するために一部要素を取り出して示す図である。
【図６】この実施形態における受信装置の一動作例を示すフローチャートである。
【図７】この実施形態において、番組表を表示した画面の一例を示す図である。
【図８】この実施形態において、録画表を表示した画面の一例を示す図である。
【図９】この実施形態において、番組を視聴中に、差分情報詳細ボタンが押された際に、取得状況提示画面がピクチャーインピクチャーという形で表示された例を示す図である。
【図１０】遠隔制御装置の例を示す図である。
【図１１】この実施形態において、システムメモリ或いは大容量記憶部に記憶されている番組表を表示器に表示した例を示す図である。
【図１２】図１１に示した実施形態の更に別の実施形態を示す図である。
【図１３】４ｋ２ｋ番組が視聴されるときの受信装置における表示器の表示例を示す図である。
【図１４】番組表データの一例を示す図である。
【図１５】図１１に示した実施形態の更に別の実施形態を示す図である。
【発明を実施するための形態】
【００１８】
以下、実施の形態について図面を参照して説明する。
【００１９】
図１において、１０は放送局あるいはサーバなどの送信装置であり、アンテナ或いはネットワークを介して放送信号を配信する。放送信号は、受信装置（テレビジョン受信装置、記録再生装置、パーソナルコンピュータ、ワンセグ受信機、携帯端末など）１１、１２で受信され復調される。
【００２０】
この実施形態では、一例として電波を媒体として主映像データを送信し、ネットワークを介して差分映像データを送信するものとして説明する。主映像データは、高画質映像データ（例えば３８４０画素×２１６０画素のデータ）から伝送用に生成された主映像データ（例えば１９２０画素×１０８０画素のデータ）であり、差分情報は、前記主映像データと前記高画質データの差分である伝送用に生成された差分情報である。
【００２１】
なお、映像データを表示する装置として、水平方向が１９２０画素で垂直方向が１０８０画素の、所謂２ｋ１ｋと称される映像データ（ハイデフィニション映像データ）を表示する装置がある。
【００２２】
また、最近では、水平方向が３８４０画素、垂直方向が２１６０画素の、４ｋ２ｋと称される画像データや、水平方向が７６８０画素、垂直方向が４３２０画素の、８ｋ４ｋと称される画像データのような、さらに高精細な映像データも実現されている。
【００２３】
また、この実施形態においては、高画質映像データは、例えば、受信側で受信した主映像データと差分情報とを用いて生成した映像データが、元の映像データよりも画質が良くなる場合に、高画質映像データと呼ぶ。
【００２４】
図２は、送信装置１０の内部のブロック構成例を示している。１１０は、４ｋ２ｋ映像データソース部である。
【００２５】
４ｋ２ｋ映像データソース部１１０は、例えば記憶媒体、或いは高解像度カメラ装置などである。
【００２６】
４ｋ２ｋ映像データソース部１１０から読み出された４ｋ２ｋ映像データは、４ｋ２ｋ映像データ分離部１１１に入力される。
【００２７】
４ｋ２ｋ映像データ分離部１１１は、４ｋ２ｋ映像データを主映像データと、差分情報とに分離する。
【００２８】
主映像データは、主映像データ処理部１１２で、送信用の信号としてエンコードされる。エンコードされた主映像データは、ＴＶ信号送信器１１３にて、送信信号に変換され、アンテナから電波として放出される。
【００２９】
一方、差分情報は、差分情報処理部１１５にてネットワーク送信用の信号としてエンコードされる。エンコードされた差分情報は、ネットワーク対応送信機１１６においてネットワーク送信フォーマットに変換されてネットワークに送出される。
【００３０】
システム制御部１１７は、この送信装置１０の内部の各ブロックを統一的に制御する。
【００３１】
図３は、電子機器、つまり受信装置１１の内部ブロックを代表して示している。
【００３２】
この電子機器は、主映像データおよび、主映像データと高画質データの差分である差分情報とを受信する受信部とを有する。そして生成部は、前記受信した主映像データと前記差分情報とを用いて、前記主映像データより高画質な高画質映像データを生成する。取得情報出力部は、前記差分情報の取得情報を出力する。
【００３３】
アンテナ１１５からの電波は、チューナ装置１１６に導かれる。チューナ装置１１６は、例えば、複数のチューナを含み、同時に複数のチャンネル（例えば７つのチャンネル）を受信することができる。
【００３４】
さらにチューナ装置１１６は、放送衛星（ＢＳ）及び又は通信衛星（ＣＳ）からのデジタル放送信号を受信するチューナも含むことができる。またチューナで同時受信された複数のチャンネルの番組信号（トランスポートストリームの状態）は、システム制御ブロック１３２の制御の下で、記録再生処理器１５１のエンコーダで記録フォーマットに変換され大容量記憶装置１５２に記録されることができる。
【００３５】
この記録方法は、タイムシフト記録と称される場合もある。またシステム制御ブロック１３２の制御の下で、大容量記憶装置１５２から再生された信号は記録再生処理器１５１のデコーダでデコードされ、デコード出力（ストリーム）は、映像信号処理器（復元部と称しても良い）１２０に導かれる。
【００３６】
大容量記憶装置１５２への信号記録、或いは大容量記憶装置１５２からの信号再生は、遠隔制御器としての例えばリモートコントローラ１６１操作に基づいて実行させることができる。リモートコントローラ１６１からの操作信号は、リモートコントローラ信号送受信器１３８を介して、システム制御ブロック１３２に導入されている。
【００３７】
チューナ装置１１６で選択されたチャンネルのストリームは、デコーダ１１７にてパケット分離及びデコード処理を受ける。トランスポートストリームは複数の種類のパケット（制御信号パケット、オーディオパケット、映像データパケットなど）を含む。トランスポートストリームに含まれるパケットに含まれる映像データは、例えばＭＰＥＧ(Moving Picture Expert Group)方式、ＡＶＣ(Advanced Video Coding)方式などでエンコードされている。
【００３８】
また、オーディオパケット内のオーディオデータは、例えば、ＰＣＭ(Pulse Code Modulation)方式、ＭＰＥＧ方式などでエンコードされている。したがって、それぞれのエンコード方式に対するデコード方式でオーディオデータ、映像データがデコードされる。
【００３９】
制御信号パケットは、システム制御ブロック１３２に導かれて、映像データの圧縮方式、暗号化方式、さらには映像データの属性などが含まれることがある。
【００４０】
さらに、制御信号パケットには、番組案内情報（ＥＰＧデータ）が含まれる。ＥＰＧデータは、ＥＰＧ処理部１４１にて処理され番組表データを作成するのに用いられる。
【００４１】
蓄積されるＥＰＧデータは、過去、現在、未来分が存在し、過去、現在、未来の表示用番組表データを形成することができる。表示用番組表データは、システムメモリ１３７に格納される。
【００４２】
また、表示用番組表データは、３乃至４日単位或いは１週間単位で、変更部分の更新処理が実施される。番組表としては、例えば過去は３ヶ月分、未来は１ヶ月分を準備できている。
【００４３】
オーディオデータは、音声信号処理器１１８に入力され、同期処理、音量調整などを施され、スピーカシステムに応じたステレオ分離処理などが施され、その出力がスピーカシステム１１９に供給される。
【００４４】
デコードされた映像データは、映像信号処理器１２０で、同期処理、輝度調整、色調整などが実施される。
【００４５】
映像信号処理器１２０の出力は、セレクタ１２１、合成器・出力部１２２を介して表示器１７０に向けて出力される。映像信号処理器１２０は、第１映像データ処理部１２０ａ、第２映像データ処理部１２０ｂを含む。
【００４６】
第１映像データ処理部１２０ａは、例えば、ＳＤ映像データを処理する。また第２映像データ処理部１２０ｂは、高画質映像データの再構築を行う。例えば第２映像データ処理部１２０ｂは、高画質映像データから伝送用に生成された主映像データと、前記主映像データと前記高画質データの差分である伝送用に生成された差分情報とを合成して、元の前記高画質映像データを再現することができる。
【００４７】
ここで、必ずしも良好な高画質映像データを再現できるとはかぎらない。このように第２映像データ処理部１２０ｂは、制御ブロックと協働し、受信した主映像データと受信した差分情報とを用いて、前記主映像データより高画質な高画質映像データを生成する生成部として機能する。
【００４８】
セレクタ１２１は、第１映像データ処理部１２０ａ，第２映像データ処理部１２０ｂの出力の何れかを選択して、合成器１２２に与える。合成器１２２は、システム制御ブロック１３２からのデータ、図形、番組表、後で説明する取得状況提示画面を得るための取得状況提示映像データなどを映像データに多重することができる。
【００４９】
さらに、省略されているが出力部は、表示器１７０に応じたスケール、解像度、ライン数、アスペクト比などを設定して、表示器１７０に向けて出力する。
【００５０】
さらに、この受信装置１１は、送受信器１３１がネットワークに接続されている。
【００５１】
したがって、図１で示したように、送信装置１０からの差分情報を受け取ることができる。
【００５２】
差分情報の受け取り方法は種々の方法が可能である。差分情報は、差分情報処理部１４０により処理される。差分情報処理部１４０の構成は、システム制御ブロック１３２からさらに取り出して示されている。
【００５３】
差分情報処理部１４０は、差分情報受信部１４４、転送レート検出器／デコーダ１４５、４ｋ２ｋ差分情報の取得状況認識部１４６、案内データ処理部１４７などが含まれる。案内データ処理部１４７は、ＧＵＩデータ処理部１４３などとともに取得情報出力部として機能する。
【００５４】
今、番組ＡＡＡのソース映像データが４ｋ２ｋである場合、該番組ＡＡＡの番組案内情報には、番組ＡＡＡが４ｋ２ｋであることの情報が含まれている。または、番組ＡＡＡの映像データを含むパケットとともに送られてくる制御信号パケットに、番組ＡＡＡが４ｋ２ｋであることの情報が含まれている。
【００５５】
これにより差分情報処理部１４０の差分情報受信部１４４は、いずれの番組が４ｋ２ｋの映像データを提供するかを認識することができる。
【００５６】
（１）ある方法では受信装置１１が差分情報を取得するめには、予め受信装置１１と送信装置（サーバ）１０との間で契約が行われている。あるいは予め受信装置１１から送信装置１０へ差分情報を要求する要求信号が送信されている。
【００５７】
これにより、送信装置１０は、例えば番組ＡＡＡの放送開始の前に予め差分情報を受信装置１１へ送信することができる。
【００５８】
（２）別の方法では、受信装置１１が差分情報を取得するめに、受信装置１１は、例えば番組ＡＡＡの差分情報を要求することができる。
【００５９】
受信装置１１から送信装置１０へ差分情報を要求する場合、ユーザの操作に基づいて要求信号が受信装置１１から送信装置へ送信される場合がある。
【００６０】
或いは、予め設定された設定内容に応じて、自動的に受信装置１１から送信装置１０へ差分情報を要求する要求信号が送信される。
【００６１】
差分情報受信部１４４で受信される差分情報は、転送レート検出器／デコーダ１４５で処理されて、転送レートが検出され、またネットワーク上の転送フォーマットからもとの形のデータにデコードされる。
【００６２】
番組時間長と、前記転送レートと、差分情報の例えば１フレーム当たりの平均ビット数が分かると、当該番組に対して、何パーセントの差分情報が取得されているかを計算可能である。この差分情報の取得状況は、４ｋ２ｋ差分情報の取得状況確認部１４６により常時把握されている。
【００６３】
そして、差分情報の取得状況を示すデータは、番組ごとに把握され、案内データ処理部１４７は、現在の差分情報の取得率などを示すデータを生成する。このデータは例えばシステムメモリ１３６に格納されている。
【００６４】
また、差分情報のヘッダには、対応する主映像データのパケットのタイムスタンプと同じタイムスタンプ（同期用の時刻情報）が記述されている。
【００６５】
したがって、差分情報のヘッダのタイムスタンプを収集することで、主映像データに対する差分情報の取得割合（取得状況）を計算することができる。
【００６６】
上記の案内データ処理部１４７は、リモートコントローラ１６１からの操作入力に応じて、差分情報に関する各種の案内データ（ユーザへのメッセージ等）を出力することもできる。
【００６７】
案内データ処理部１４７は、各種案内データを含む取得状況提示映像データを生成することができる。この取得状況提示映像データが後で示す取得状況提示画像として表示器に表示される。
【００６８】
取得状況提示としては、例えば残りの差分情報の取得にかかる時間などである。これらの案内データは、直接或いはシステムメモリ１３７を介してＧＵＩデータ処理部１４３に入力され、映像データとして出力される。案内データは、棒グラフ、円形グラフなどのデータを作成することができる。上記のように差分情報の取得情報が制御部内部（例えば案内データ処理部１４７）で生成される。
【００６９】
ＧＵＩデータ処理部１４３は、オンスクリーンディスプレイ（ＯＳＤ）部１３５と共に、システムメモリ１３６に格納されている番組表データを利用して、番組表を表示器１７０に表示することができる。またＧＵＩデータ処理部１４３は、オンスクリーンディスプレイ（ＯＳＤ）部１３５と共に、システムメモリ１３６に格納されている差分情報の取得状況を示すデータを利用して、４ｋ２ｋ番組の差分情報取得状況（差分情報の準備状況と称してもよい）を状況映像として表示器１７０に表示することができる。ＣＰＵ１４２は、システム制御ブロック１３２の全体の動作シーケンスの調整を行い、統括している。
【００７０】
本装置においては、差分情報が取得されるタイミングとしては、４ｋ２ｋの番組を視聴中に差分情報を取得する場合もある。また４ｋ２ｋの番組が放送される前に差分情報を取得する場合もある。さらには４ｋ２ｋの番組と差分情報とが視聴される前にすでに取得されている場合もある。
【００７１】
いずれの場合も、差分情報が一旦大容量記憶装置１５２、或いはシステムメモリ１３７、或いは一次記憶部１３６などに一時的に格納される。差分情報は、複数の番組のための差分情報が存在する。従って、差分情報が記憶媒体に一旦記憶される場合、その記録状態と管理方法を定義する必要がある。
【００７２】
上記したシステム制御ブロック１３２、映像信号処理器１２０、記録再生処理部１５１などは、ハードウエアで実現できる他に、コンピュータとソフトウエアによるデータ処理機能によっても実現できることは勿論のことである。そして、前記ソフトウエアは、半導体メモリ、磁気ディスク、光ディスクなどの記憶媒体に格納させることができる。
【００７３】
図４には、差分情報の記録及び管理方法の一例を示している。大容量記憶装置１５２は、記録媒体として例えばハードディスクが用いられ、記録領域には、管理ファイルの領域、主映像データファイルの領域、差分情報ファイルの領域が確保されている。管理ファイルには、主映像データと差分情報との関連データが格納されている。
【００７４】
関連データは、主映像データとこれに対応する差分情報との識別データ、主映像データとこれに対応する差分情報のステイタス（未記録、記録済み、記録中、差分情報の準備中、欠落など）を示すデータ、番組名、番組のジャンル、出演者などの番組属性データ、放送日時、放送局名などである。
【００７５】
図５は、４ｋ２ｋ差分情報に特に関連してデータ処理を行うブロックを抽出して示している。したがって、図３のブロックに対応する部分には、図３と同じ符号を付している。
【００７６】
ＣＰＵ１４２の統括制御の下で、差分情報受信部１４４は、差分情報を受信し、転送レート検出器／デコーダ１４５にて差分情報がデコードされる。一方、主映像信号は、チューナ装置１１６で受信され復調器／デコーダ１１７でデコードされる。
【００７７】
デコードされた差分情報は、ＣＰＵ１４２の制御の下で、大容量記憶装置１５２に記憶される。４ｋ２ｋ差分情報の取得状況認識部１４３は、ＣＰＵ１４２の制御の下で、視聴する番組に対する差分情報の取得率などを把握し、その把握データを例えばＧＵＩ処理部１４３を介して、表示用データとしてシステムメモリ１３６或いは大容量記憶装置１５２に格納する。
【００７８】
一方、チューナ装置１１６で受信された信号は、復調器／デコーダ１１７にて復調及びデコードされ、ＣＰＵ１４２の制御の下で、主映像データとして例えば、大容量記憶装置１５２に記憶される、又は映像信号処理器１２０を介して、出力部１２２に供給される。いずれの場合も、例えば大容量記憶装置１５２の差分情報が主映像データに合成されて４ｋ２ｋ映像データとして出力することができる。
【００７９】
さらに、操作部１６０の操作に基づいて、システムメモリ１３６に格納されているＧＵＩデータを読み出して、出力部１２２に供給することができる。ＧＵＩデータとしては、番組表データ、差分情報の取得状況を示すデータなどがあり、後でさらに説明する。
【００８０】
図６は、この実施形態の動作の一例を説明するために示したフローチャートである。なおこの説明は、４ｋ２ｋの差分情報を受信する動作が既に起動されていることを前提としている。
【００８１】
差分情報の配信待ちにおいて差分情報が受信されると（ステップＳＡ１）、差分情報の取得処理が実行される（ステップＳＡ２）。差分情報が取得されると、差分情報をＧＵＩデータに変換するためのＧＵＩ処理要求コマンドが発行される（ステップＳＡ３）。
【００８２】
続いて、差分情報の取得状況を生成するための要求コマンドが発行される（ステップＳＡ４）。上記の要求コマンドに応じて、差分情報の取得率、及び又は差分情報の取得が完了するまでの予測時間などが計算される（ステップＳＡ５）。
【００８３】
次に、操作或いは予め設定されたコマンドに応じて、差分情報の取得率を表示するか否かの判定が成される（ステップＳＡ６）。非表示のコマンド或いは設定が成されていた場合、差分情報の表示は行わない（ステップＳＡ７）。
【００８４】
差分情報の取得状態を表示するコマンド或いは設定が成されていた場合、次の判断がなされる。即ち差分情報の取得率を番組の総容量に対する割合で示すグラフを表示するのか、或いは差分情報取得状態を歯抜け状態（飛び飛びの状態）で示すグラフを表示するのかが決定される。
【００８５】
いずれの表示形態をとるかは、操作入力及び又は設定入力により決めることができる（ＳＡ８）。
【００８６】
差分情報の取得率を番組の総容量に対する割合で示すグラフを表示する場合は、ステップＳＡ９にて、番組の総容量を１００％として差分情報の取得率をグラフ化した取得状況提示映像データを出力する。
【００８７】
差分情報取得状態を歯抜け状態（飛び飛びの状態）で示すグラフを表示する場合は、ステップＳＡ１０にて番組の総容量を１００％として、差分情報取得状態を歯抜け状態でグラフ化した取得状況提示映像データを出力する。
【００８８】
さらに、この状態から、対応する番組に対する全ての差分情報が取得できていない場合は、残りの差分情報を全て取得するまでの予測時間を表示するか否かを選択することができる（ステップＳＡ１１）。
【００８９】
ここで、ユーザが「予測時間を表示しない」を選択操作するか、又は一定時間放置した場合は、ステップＳＡ１２に移り、差分情報の全てを取得するまでの予測時間は、表示しないこととする。逆に、ユーザが「予測時間を表示する」を選択操作した場合は、ステップＳＡ１３に移り、差分情報を全て取得するまでの予測時間のデータを、取得状況提示映像データに加工して出力する。
【００９０】
予測時間は、例えば以下のように予測できる。即ち、先に説明したように対応番組に対する差分情報の取得率（現在のパーセンテージ）が計算されている。このために、対応番組に対する残りの差分情報を全て取得するまでの必要パーセンテージも直ぐに計算できる。
【００９１】
また、差分情報の取得開始時間から現在のパーセンテージの差分情報を得るまでの時間も判明している。したがって、例えば１０％当たりの差分情報を取得する単位時間も計算可能である。したがって必要パーセンテージと単位時間を用いることで、差分情報を全て取得するまでの予測時間を計算することができる。
【００９２】
上記の計算に基づき、取得状況提示映像データが生成された後は、ステップＳＡ１４、ＳＡ１５において、主映像データのフレームに合成する処理が行われ、ステップＳＡ１７で表示器１７０にて取得状況提示映像が表示される。なお取得状況提示映像データを合成しないタイミングもあり得る（ステップＳＡ１４，ＳＡ１６）。
【００９３】
図７には、番組表３１１を表示した画面の一例を示している。
【００９４】
今、リモートコントローラが操作され、カーソルが番組「ＡＡＡ」の位置に移動されたとする。この番組案内領域には、４ｋ２ｋ番組であることを示す文字又は記号又はマークなどが表示されている。
【００９５】
従って、ユーザは、この番組「ＡＡＡ」が４ｋ２ｋ番組であることを知ることができる。ここでユーザが、例えばリモートコントローラの詳細ボタンを押すと、差分情報の取得状況を示す取得状況提示画面３２１が表示される。この取得状況提示画面３２１の大きさや表示位置は任意である。
【００９６】
取得状況提示画面３２１内には、差分情報の取得状況（取得率）が、例えば数値と棒グラフで表示される。
【００９７】
図の例は、差分情報の取得率が４５％の例を示している。
【００９８】
このような場合、番組「ＡＡＡ」を視聴した場合、途中で差分情報が不足するので、高画質で無くなる可能性がある。よって、「途中から高画質で無くなる可能性があります」というようなメッセージが表示される。
【００９９】
また、棒グラフの背景が、例えば「黄色」に着色され、ユーザに注意を促すことができる。
【０１００】
上記の説明では、詳細ボタンを操作すると、取得状況提示画面が現れるとしたが、カーソルが番組案内位置を選択した状態で、自動的に取得状況提示画面がポップアップしてもよい。これにより利用者は、差分情報の取得率を見る目的ではなくても、カーソル位置の番組が４ｋ２ｋ番組であることを知ることができる。
【０１０１】
次に、別の例を説明する。リモートコントローラが操作され、カーソルが番組「ＢＢＢ」の位置に移動されたとする。
【０１０２】
この番組案内領域にも、４ｋ２ｋ番組であることを示す文字又は記号又はマークなどが表示される。ここでユーザが、例えばリモートコントローラの詳細ボタンを押すと、差分情報の取得状況を示す取得状況提示画面３２３が表示される。
【０１０３】
この取得状況提示画面３２３では、差分情報の取得率が９０％の例を示している。このような場合、番組「ＢＢＢ」を視聴した場合、差分情報の取得予測から途切れなく４ｋ２ｋ視聴ができると判断すると「番組全部を高画質で視聴できます」というようなメッセージが表示される。
【０１０４】
また、上記の判断の後で、棒グラフの背景が、例えば「青」に着色され、ユーザに安全性を提示することができる。
【０１０５】
上記の取得状況提示画面３２１、３２３の棒グラフは、例えば左側に差分情報の取得率、右側に差分情報に非取得率を示した。しかし表示形態はこのような形態に限定されるものではない。
【０１０６】
上記の取得状況提示画面の棒グラフは、例えば図７（Ｂ）に示すように円形グラフであってもよい。
【０１０７】
図８には、録画表を表示した画面の一例であり、別の取得状況提示画面３２５、３２６の例を示している。
【０１０８】
この例は、棒の長さ１００％が番組長として想定され、棒が着色される。そして取得された差分情報の着色（棒の色とは異なる色）の位置が、分配されている。
【０１０９】
これにより、番組の中の何処の期間（位置）に差分情報が対応しているかが分かる。
【０１１０】
また、差分情報の取得率は、数値によりパーセンテージが記述されている。
【０１１１】
差分情報は、番組の表示時間の経過順に沿って送られてこない場合もあるからである。この場合も図７で説明したように、メッセージを表示してもよい。
【０１１２】
図８の番組「ｃｃｃ」の状態は、差分情報が取得されていない状況を表している。このように番組表を表示した場合でも差分情報の取得状況を確認することができる。
【０１１３】
図８では、３つの番組に関する４ｋ２ｋ番組案内を示しているが、実際にはさらに多く４ｋ２ｋ番組案内が表示される。
【０１１４】
図９は、例えば番組を視聴中に、差分情報詳細ボタン（或いは予め取り決めされている特定のボタン或いは解像度ボタンなど）を押した際に、取得状況提示画面３２９がピクチャーインピクチャーという形で表示された例を示している。
【０１１５】
この例も、棒グラフ３２９ａにより、図７或いは図８に示した形態と同様に差分情報の取得状況が表示されることができる。さらにこの例では、番組の放送時間帯と、現在の映像の表示時間位置が棒グラフ３２９ｂ上に示されている。
【０１１６】
図１０は、リモートコントローラ１６１が遠隔制御装置１６０の範疇であることを示している。遠隔制御装置１６０には、パーソナルコンピュータ１６３、電話機能を有する携帯端末１６２、そのほかタブレットなども含まれる。
【０１１７】
図１１は、システムメモリ１３７或いは大容量記憶部１５２に記憶されている番組表３１１を表示器１７０に表示した例を示している。
【０１１８】
遠隔制御装置１６０を操作して、任意の番組案内領域にカーソルを移動させたときに、例えばポップアップ表示される取得状況提示画像の例を示している。この取得状況提示画像には、４ｋ２ｋ番組の差分情報がナンパーセント取得されているかが表示される。図の例では取得量は、数値及びグラフで示されているが、必ずしもこの表示形態に限定されるものではない。
【０１１９】
さらに、メッセージが表示されてもよい。このメッセージは、例えば「差分情報取得中です」、「最高画質ではないですが視聴しますか？」、「データ要求しますか？」などの文言が表示される。
【０１２０】
「最高画質ではないですが視聴しますか？」というメッセージは、現在放送中の番組を視聴しようとする場合、或いは既に録画済みの番組があり、現在差分情報を取得中の場合、に利用される。
【０１２１】
また質問の文言に付帯して、「はい」、「いいえ」の操作ボタンが表示される。したがって、ユーザが、「視聴する」の操作ボタンをカーソルで選択し、決定ボタンを押すと、当該番組の再生が開始される。この場合、受信した主映像データに対し受信した差分情報が合成されて、高画質映像データが復元する処理が行われるが、差分情報が不足した場合は、主映像データのみによる映像が表示される。
【０１２２】
上記の「データ要求しますか？」の項目において「はい」が選択された場合、受信装置１１は、ネットワークの送受信器１３１を介して、予め特定されているサーバー（送信装置）に対して差分情報の要求信号を送信する。
【０１２３】
これに応答して、送信装置は、差分情報を送信する。要求信号は、番組の属性情報に含まれているアドレスなどが利用される。要求信号は、必要とする番組名データなどを含む。
【０１２４】
上記のデータ要求が開始された場合、メッセージが、切換る。このときのメッセージでは、「差分情報取得中です」、「○○分後に全データがそろいます」、「直ぐに視聴しますか？」などの文言が表示される。
【０１２５】
図１２は、図１１に示した実施形態の更に別の実施形態である。第１の例としては、例えば自動録画されている過去の番組が４ｋ２ｋ番組であり、差分情報の取得が完了している場合がある。
【０１２６】
また、第２の例としては自動録画されている過去の番組が４ｋ２ｋ番組であるが、差分情報が取得されていないような場合がある。このようなケースとしては例えば差分情報を取得することが契約されていないような場合である。
【０１２７】
差分情報の取得が既に完了している場合は、任意の番組案内領域にカーソルを移動させたときに、ポップアップ表示される取得状況提示画像のメッセージとして、例えば以下のような内容が表示される。「この番組ｋｋｋは、高解像度で視聴可能です」、「直ぐに視聴しますか？」などのメッセージである。
【０１２８】
ここでユーザは、操作ボタン「はい」または「いいえ」を選択することができる。或いはリモートコントローラに設けられている特定のボタンの操作を「はい」と同じ働きをするように設定してもよい。
【０１２９】
差分情報が取得されていない場合には、メッセージとして、例えば以下のような内容が表示される。「この番組ｋｋｋは、差分情報を取得すると高解像度で視聴かのうです」、「差分情報を取得しますか？」というような内容である。
【０１３０】
ここでユーザは、操作ボタン「はい」または「いいえ」を選択することができる。ユーザが操作ボタン「はい」を選択した場合、メッセージが、切換る。このときのメッセージでは、「差分情報取得中です」、「○○分後に全データがそろいます」、「直ぐに視聴しますか？」などの文言が表示される。
【０１３１】
図１３には、４ｋ２ｋ番組が視聴されるときの受信装置１１における表示器の表示例を示している。
【０１３２】
４ｋ２ｋ番組が視聴されるときは、「４ｋ２ｋ完全番組視聴中」、或いは「４ｋ２ｋ未完番組視聴中」などの表示が現れる。「４ｋ２ｋ完全番組視聴中」は、差分情報が番組に対して全て取得されている状態での視聴である。「４ｋ２ｋ未完番組視聴中」は、差分情報が番組に対して一部取得されているが全部取得されていない状態での視聴である。
【０１３３】
図１４には、番組表データの一例を示している。
【０１３４】
本受信装置では、ＥＰＧデータを用いて、過去、現在、未来の番組に対する番組表を作成することができる。またこの番組表を順次更新することができる。
【０１３５】
図１４は一例であり、説明を分かり易くするために簡略化した番組表データを示している。この番組表データは、１チャンネル−７チャンネル分の本日の番組表データと、昨日の番組表データと、明日の番組表データを示している。
【０１３６】
ここで、この実施形態では、この番組表データに基づいて番組表が表示器に表示されたとき、未来の番組に関しては、差分情報取得の予約が可能である。
【０１３７】
図１５には、図１１に示した実施形態の更に別の実施形態を示している。
【０１３８】
この実施形態では、この番組表データに基づいて未来の番組表が表示器に表示されたとき、未来の番組、例えば図の例では番組ｅｅｅに関しては、差分情報取得の予約が可能である。
【０１３９】
番組ｅｅｅの番組案内領域にカーソルを移動させたときに、ポップアップ表示される取得状況提示画像のメッセージとして、例えば以下のような内容が表示される。「この番組ｅｅｅは、差分情報を取得すると高解像度で視聴可能です」、「差分情報を予約しますか？」などのメッセージである。ここでユーザは、操作ボタン「はい」または「いいえ」を選択することができる。
【０１４０】
「はい」が選択された場合、「予約完了しました」のメッセージが表示される。
【０１４１】
このように差分情報を予約しておくことにより、未来の番組が開始される前に、当該番組の差分情報をダウンロードして蓄積しておくことができる。システム制御ブロック１３２の差分情報処理部１４０は、番組の開始時間は、番組情報から把握することができる。
【０１４２】
したがって、差分情報処理部１４０は、当該番組が開始される前に十分な余裕期間を持って当該番組の差分情報をダウンロードして蓄積しておくことができる。
【０１４３】
また、過去の番組であっても、差分情報が要求に応じて伝送されてくるような番組が存在する場合もある。
【０１４４】
このような場合は、「差分情報の要求ができます」と言うようなメッセージが番組表にポップアップされてもよい。ユーザは案内映像データの操作画面にしたがって、差分情報をサーバに要求することができる。
【０１４５】
上記した実施形態は、４ｋ２ｋの高解像度映像データを主映像データと差分情報に分解して別々の経路（一方は電波、他方はネットワーク）で送信するものとして説明した。
【０１４６】
しかし、この実施形態に限定されるものではなく、両方とも電波で別々のチャンネルで送信受信するシステムにも本発明は適用可能である。
【０１４７】
さらにまた、４ｋ２ｋの高解像度映像データを送受信するシステムに限定されるものではなく、要は、主映像データと、差分情報を伝送して、受信側で両者を合成する信号処理系統であれば、本発明が適用可能である。本発明の考え方は、ＢＳ放送、ＣＳ放送、ワンセグ放送に対しても適用可能である。
【０１４８】
さらにまた、受信装置は、テレビジョン受信装置として示したが、タブレット、パーソナルコンピュータなど受信部を有し、表示器に接続可能な装置であれば本発明を適用できることは勿論である。またこの発明は、コンピュータ読み取り可能な記録媒体にプログラムコードを格納し、コンピュータにより動作を実現されることも可能である。
【０１４９】
上記した説明において、「処理部」など用語は、「装置」、「器」、「ブロック」及び「モジュール」に置き換えても本発明の範疇であることは勿論である。さらにまた、請求項の各構成要素において、構成要素を分割して表現した場合、或いは複数を合わせて表現した場合、或いはこれらを組み合わせて表現した場合であっても本発明の範疇である。また請求項を方法として表現した場合であっても本発明の装置を適用したものである。
【符号の説明】
【０１５０】
１０・・・送信装置、１１、１２・・・受信装置、１１６・・・チューナ装置、１１７・・・デコーダ、１１８・・・音声信号処理器、１１９・・・スピーカシステム、１２０・・・映像信号処理器、１２０ａ・・・映像信号処理器、１２０ｂ・・・４ｋ２ｋ映像信号処理器、１２１・・・セレクタ、１２２・・・合成器・出力部、１３７・・・システムメモリ、１６０・・・遠隔制御装置、１７０・・・表示器、１３１・・・送受信器、１３２・・・システム制御ブロック、１４０・・・差分情報処理部、１４１・・・ＥＰＧ処理部、１４２・・・ＣＰＵ，１４３・・・ＧＵＩデータ処理部、１４４・・・差分情報受信部、１４５・・・転送レート／デコーダ、１４６・・・４ｋ２ｋ差分情報の取得状況認識部、１４７・・・案内データ処理部。
【図１】
2014120809.tif 000003
【図２】
2014120809.tif 000004
【図３】
2014120809.tif 000005
【図４】
2014120809.tif 000006
【図５】
2014120809.tif 000007
【図６】
2014120809.tif 000008
【図７】
2014120809.tif 000009
【図８】
2014120809.tif 000010
【図９】
2014120809.tif 000011
【図１０】
2014120809.tif 000012
【図１１】
2014120809.tif 000013
【図１２】
2014120809.tif 000014
【図１３】
2014120809.tif 000015
【図１４】
2014120809.tif 000016
【図１５】
2014120809.tif 000017